(57)【要約】      （修正有）【課題】ワイヤを絶縁ハウジング内にしっかりと保持することができる、コネクタおよび、このコネクタのハウジングを提供する。【解決手段】絶縁ハウジング２０は、本体部分２１と、規制部２６とを備える。絶縁ハウジングの本体部分は、少なくとも２つの隔壁２２を含み、２つの隔壁間に取付け溝２３が形成され、導電端子を受け取るように構成されている。絶縁ハウジング２０の規制部２６は、２つの隔壁２２のうちの少なくとも１つにおいて取付け溝２３の一方の端部に形成され、取付け溝が形成された隔壁とは反対側の、２つの隔壁のうちの他方の隔壁の方へ突出する。規制部２６は、ワイヤが取付け溝から取り外されるのを防止するために、ワイヤの絶縁層に対して剛性を有するように構成される。【選択図】図５
2019149372.tif 000002
【特許請求の範囲】
【請求項１】
少なくとも１つの導電端子（１０）と、本体部分（２１）を備える絶縁ハウジング（２０）と、を備えるコネクタ（１００）であって、
前記少なくとも１つの導電端子（１０）のそれぞれが、
−ベース部分（１１）と、
−少なくとも１対の第１の締付け部分（１２）と、を備え、
前記少なくとも１対の第１の締付け部分（１２）が、前記ベース部分に形成され、その中に挿入されたワイヤを締め付けて接続するように構成されており、
前記絶縁ハウジング（２０）は、
−少なくとも２つの隔壁（２２）であり、前記２つの隔壁（２２）間に取付け溝（２３）が形成され、前記導電端子（１０）を受け取るように構成されている、少なくとも２つの隔壁（２２）と、
−前記２つの隔壁（２２）のうちの少なくとも１つにおいて前記取付け溝（２３）の一方の端部に形成され、前記２つの隔壁（２２）のうちの他方の方へ突出する規制部（２６）と、を含み、
前記規制部（２６）が、前記ワイヤが前記取付け溝（２３）から取り外されるのを防止するために、前記ワイヤの絶縁層に対して剛性を有するように構成されている、
コネクタ（１００）。
【請求項２】
前記取付け溝（２３）の前記端部には、第１の挿入スロット（２４）が設けられ、
前記第１の挿入スロット（２４）の底部が、前記第１の締付け部分（１２）の底部と実質上同一平面上にあり、
前記規制部（２６）は、前記第１の挿入スロット（２４）の２つの対向する側壁に形成されている、
請求項１に記載のコネクタ。
【請求項３】
前記規制部（２６）は、前記第１の挿入スロット（２４）を通って前記ワイヤの軸方向に延びている、
請求項２に記載のコネクタ。
【請求項４】
前記規制部（２６）は、
−傾斜した案内面（２６１）と、
−前記取付け溝（２３）の前記側壁が位置する平面に実質上直交している規制面（２６２）と、を含んでいる、
請求項１〜３のいずれか一項に記載のコネクタ。
【請求項５】
前記取付け溝（２３）の側壁には、前記第１の締付け部分（１２）を収容して前記導電端子（１０）を前記絶縁ハウジング（２０）内に保持するように構成された収容溝（２５）が形成されている、
請求項１〜４のいずれか一項に記載のコネクタ。
【請求項６】
前記ベース部分（１１）は、互いに反対側の位置にある２つの第１の縁部（１１１）および互いに反対側の位置にある２つの第２の縁部（１１２）を備え、
前記導電端子（１０）は、それぞれ前記ベース部分（１１）が位置する平面に直交して前記ベース部分（１１）の前記第１の縁部（１１１）から延びる２対の第１の締付け部分（１２）を備え、
前記導電端子（１０）は、１対の第２の締付け部分（１３）をさらに備え、
前記１対の第２の締付け部分（１３）は、前記第１の締付け部分（１１）の延出方向とは逆方向に前記ベース部分（１１）の前記第２の縁部（１１２）から曲がり、次いで前記第２の縁部（１１２）に対して平行な方向に互いの方へ斜めに延び、
前記絶縁ハウジング（２０）は、前記第１の挿入スロット（２４）が位置する前記端部とは反対側の前記取付け溝（２３）の他方の端部に配置された第２の挿入スロット（２７）をさらに含み、
前記第２の締付け部分（１３）間の空間が、前記第２の挿入スロット（２７）に連通しており、前記導電端子（１０）に嵌合するように構成された相手側導電端子が、前記第２の挿入スロット（２７）内へ挿入され、前記第２の締付け部分（１３）によって締め付けられる、
請求項２に記載のコネクタ。
【請求項７】
前記１対の第２の締付け部分（１３）の端部には、前記相手側導電端子をしっかりと締め付けるために互いの方へ突出する突起（１３１）が設けられている、
請求項６に記載のコネクタ。
【請求項８】
前記絶縁ハウジング（２０）の前記本体部分（２１）には、前記ワイヤの挿入方向にロック部分（２８）が設けられ、
前記ロック部分（２８）は、前記相手側導電端子をロックするように構成されている、
請求項７に記載のコネクタ。
【請求項９】
前記ベース部分（１１）は、互いに反対側の位置にある２つの第１の縁部（１１１）および互いに反対側の位置にある２つの第２の縁部（１１２）を備え、
前記導電端子（１０）は、それぞれ前記ベース部分（１１）が位置する平面に直交して前記ベース部分（１１）の前記第１の縁部（１１１）から上方へ延びる２対の第１の締付け部分（１２）を備えている、
請求項１〜８のいずれか一項に記載のコネクタ。
【請求項１０】
前記第１の締付け部分（１２）の中間に、中に挿入された前記ワイヤを締め付けるためにワイヤ締付け溝（１２１）が設けられている、
請求項９に記載のコネクタ。
【請求項１１】
前記第１の締付け部分（１２）には、前記ワイヤ締付け溝（１２１）の上端にワイヤ貫通部分（１２２）が設けられ、
前記ワイヤが前記導電端子（１０）内へ挿入されるとき、前記ワイヤ貫通部分（１２２）は、前記ワイヤの前記絶縁層を貫通して前記ワイヤの導体を露出させ、その結果、前記ワイヤの前記導体が前記導電端子（１０）に電気的に接続される、
請求項１０に記載のコネクタ。
【請求項１２】
１対の第１の締付け部分（１２）の両側のうちの少なくとも一方には、前記導電端子（１０）が前記絶縁ハウジング（２０）から係合解除されるのを防止するために外方に延びる止め部（１２３）が設けられている、
請求項９に記載のコネクタ。
【請求項１３】
絶縁層を有するワイヤを保持するように適合されたコネクタハウジング（２０）であって、
前記コネクタハウジング（２０）は、
本体部分（２１）と、
規制部（２６）と、を備え、
前記本体部分（２１）は、少なくとも２つの隔壁（２２）を含み、前記２つの隔壁（２２）間に取付け溝（２３）が形成され、導電端子（１０）を受け取るように構成されており、
前記規制部（２６）は、前記２つの隔壁（２２）のうちの少なくとも１つにおいて前記取付け溝（２３）の一方の端部に形成され、前記２つの隔壁（２２）のうちの他方の隔壁（２２）の方へ突出し、かつ、
前記規制部（２６）は、前記取付け溝（２３）からの前記ワイヤの取外しに耐えるために、前記ワイヤの前記絶縁層に対して剛性を有するように構成されている、
コネクタハウジング。
【請求項１４】
前記規制部（２６）は、傾斜した案内面（２６１）と、前記取付け溝（２３）の側壁が位置する平面に実質上直交している規制面（２６２）とを含んでいる、
請求項１３に記載のコネクタハウジング。
【発明の詳細な説明】
【技術分野】
【０００１】
関連出願の相互参照
本出願は、中国国家知識産権局に２０１８年２月２６日に出願された中国特許出願第２０１８２０２７２００５．３号の利益を主張する。その開示全体が、参照により本明細書に組み込まれている。
【０００２】
本開示の実施形態は、コネクタおよびこのコネクタのコネクタハウジングに関し、特にワイヤを電子デバイスに電気的に接続するように適合されたコネクタおよびこのコネクタのコネクタハウジングに関する。
【背景技術】
【０００３】
関連技術では、ワイヤは、概してコネクタによって、電気デバイスに電気的に接続される。コネクタは、導電端子および絶縁ハウジングを備え、導電端子および絶縁ハウジング内へワイヤを挿入して、導電端子と絶縁ハウジングとの間の電気的接続を実現する。関連技術では、たとえば、ワイヤが導電端子および絶縁ハウジング内へ挿入されるとき、絶縁ハウジングの規制部が弾性変形して、ワイヤを挿入することを可能にし、次いでこの変形が解放され、規制部はワイヤを保持し、同時に導電端子はワイヤの絶縁層を貫通して、ワイヤの導体との電気的接続を行う。しかし、規制部が弾性変形することを可能にするために、規制部は弾性構造を有する必要がある。この弾性構造により、ハウジングの強度が低減し、したがってワイヤは、ワイヤの挿入方向とは逆方向の力を受けると、ハウジングから容易に取り外される。
【発明の概要】
【発明が解決しようとする課題】
【０００４】
したがって、上記の問題を解決することができるコネクタおよびこのコネクタのコネクタハウジングを提供することが必要とされている。
【課題を解決するための手段】
【０００５】
本開示によって解決される技術的な課題は、コネクタおよびこのコネクタのコネクタハウジングを提供することであり、このコネクタハウジングによって、ワイヤを絶縁ハウジング内にしっかりと保持することができる。
【０００６】
本開示の一態様によれば、以下の少なくとも１つの導電端子と、絶縁ハウジングとを備えるコネクタが提供される。
＜少なくとも１つの導電端子＞
少なくとも１つの導電端子は、各導電端子が、
ベース部分、および
少なくとも１対の第１の締付け部分を備える。
少なくとも１対の第１の締付け部分が、ベース部分に形成され、その中に挿入されたワイヤを締め付けて接続するように構成されている。
＜絶縁ハウジング＞
絶縁ハウジングは、本体部分を備える。
絶縁ハウジングの本体部分は、少なくとも２つの隔壁と、規制部と、を含む。
少なくとも２つの隔壁は、２つの隔壁間に取付け溝が形成され、導電端子を受け取るように構成されている。
規制部は、２つの隔壁のうちの少なくとも１つにおいて取付け溝の一方の端部に形成され、２つの隔壁のうちの他方の方へ突出する。  
規制部は、ワイヤが取付け溝から取り外されるのを防止するために、ワイヤの絶縁層に対して剛性を有するように構成される。
【０００７】
本開示の例示的な実施形態によれば、取付け溝の端部には、第１の挿入スロットが設けられる。第１の挿入スロットの底部が、第１の締付け部分の底部と実質上同一平面上にあり、規制部は、第１の挿入スロットの２つの対向する側壁に形成される。
【０００８】
本開示の例示的な実施形態によれば、規制部は、第１の挿入スロットを通ってワイヤの軸方向に延びる。
【０００９】
本開示の例示的な実施形態によれば、規制部は、傾斜した案内面と、取付け溝の側壁が位置する平面に実質上直交している規制面とを含む。
【００１０】
本開示の例示的な実施形態によれば、取付け溝の側壁には、第１の締付け部分を収容して導電端子を絶縁ハウジング内に保持するように構成された収容溝が形成される。
【００１１】
本開示の例示的な実施形態によれば、ベース部分は、互いに反対側の位置にある２つの第１の縁部および互いに反対側の位置にある２つの第２の縁部を備える。導電端子は、それぞれベース部分が位置する平面に直交してベース部分の第１の縁部から上方へ延びる２対の第１の締付け部分を備える。導電端子は、１対の第２の締付け部分をさらに備える。１対の第２の締付け部分は、第１の締付け部分の延出方向とは逆方向に沿ってベース部分の第２の縁部から曲がり、次いで第２の縁部に対して平行な方向に互いの方へ斜めに延びる。絶縁ハウジングは、第１の挿入スロットが位置する端部とは反対側の取付け溝の他方の端部に配置された第２の挿入スロットをさらに含む。第２の締付け部分間の空間は、第２の挿入スロットに連通しており、導電端子に嵌合するように構成された相手側導電端子が、第２の挿入スロット内へ挿入され、第２の締付け部分によって締め付けられる。
【００１２】
本開示の例示的な実施形態によれば、１対の第２の締付け部分の端部には、相手側導電端子をしっかりと締め付けるために互いの方へ突出する突起が設けられる。
【００１３】
本開示の例示的な実施形態によれば、絶縁ハウジングの本体部分には、ワイヤの挿入方向にロック部分が設けられ、ロック部分は、相手側導電端子をロックするように構成される。
【００１４】
本開示の例示的な実施形態によれば、ベース部分は、互いに反対側の位置にある２つの第１の縁部と、互いに反対側の位置にある２つの第２の縁部と、を備える。導電端子は、それぞれベース部分が位置する平面に直交してベース部分の第１の縁部から上方へ延びる２対の第１の締付け部分を備える。
【００１５】
本開示の例示的な実施形態によれば、第１の締付け部分の中間に、中に挿入されたワイヤを締め付けるためにワイヤ締付け溝が設けられる。
【００１６】
本開示の例示的な実施形態によれば、第１の締付け部分には、ワイヤ締付け溝の上端にワイヤ貫通部分が設けられる。ワイヤが導電端子内へ挿入されるとき、ワイヤ貫通部分は、ワイヤの絶縁層を貫通してワイヤの導体を露出させ、その結果、ワイヤの導体が導電端子に電気的に接続される。
【００１７】
本開示の例示的な実施形態によれば、１対の第１の締付け部分の両側のうちの少なくとも一方には、導電端子が絶縁ハウジングから係合解除されるのを防止するために外方に延びる止め部（stop）が設けられる。
【００１８】
本開示の別の態様によれば、絶縁層を有するワイヤを保持するように適合されたコネクタハウジングが提供される。このコネクタハウジングは、（１）少なくとも２つの隔壁を含み、２つの隔壁間に取付け溝が形成され、導電端子を受け取るように構成された本体部分と、（２）２つの隔壁のうちの少なくとも１つにおいて取付け溝の一方の端部に形成され、取付け溝が形成された隔壁とは反対側の２つの隔壁のうちの他方の方へ突出する規制部と、を備える。規制部は、取付け溝からのワイヤの取外しに耐えるために、ワイヤの絶縁層に対して剛性を有するように構成される。
【００１９】
本開示の例示的な実施形態によれば、規制部は、傾斜した案内面と、取付け溝の側壁が位置する平面に実質上直交している規制面とを含む。
【００２０】
本開示の他の目的および利点は、添付の図面と併せて本開示の以下の説明から明らかになり、本開示の包括的な理解を与えることができる。
【００２１】
本開示の上記その他の特徴は、本開示の例示的な実施形態について添付の図面を参照して詳細に説明することによって、より明らかになるであろう。
【図面の簡単な説明】
【００２２】
【図１】本開示の例示的な実施形態によるコネクタを説明するための斜視図である。
【図２】図１のコネクタを説明するための別の斜視図である。
【図３】図１のコネクタをさらに説明するための斜視図である。
【図４】図１のコネクタの導電端子を説明するための斜視図である。
【図５】図１のコネクタの絶縁ハウジングを説明するための斜視図である。
【図６】図５の絶縁ハウジングの上面図である。
【図７】図５の絶縁ハウジングの正面図である。
【図８】図５の絶縁ハウジングの背面図である。
【発明を実施するための形態】
【００２３】
本開示の技術的な解決策について、添付の図面と併せて以下の実施形態を参照してさらに詳細に以下に説明する。本明細書では、同じまたは類似の参照番号が、同じまたは類似の部分を示す。添付の図面を参照する本開示の実施形態の以下の説明は、本開示の概略的な発明の概念について説明することが意図され、本開示に対する限定として解釈されるべきではない。
【００２４】
加えて、以下の詳細な説明では、説明の目的で、開示する実施形態の徹底的な理解を提供するために、多数の特有の詳細について記載される。しかし、これらの特有の詳細がなくても１つまたは複数の実施形態を実践することができることが明らかであろう。他の例では、よく知られている構造およびデバイスは、図面を簡略化するために概略的に説明する。
【００２５】
本開示の概略的な技術的概念によれば、少なくとも１つの導電端子および絶縁ハウジングを備えるコネクタが提供される。導電端子は、ベース部分および少なくとも１対の第１の締付け部分を備える。少なくとも１対の第１の締付け部分は、ベース部分に形成され、その中に挿入されたワイヤを締め付けて接続するように構成される。絶縁ハウジングは、（１）少なくとも２つの隔壁を含み、２つの隔壁間に取付け溝が形成され、導電端子を受け取るように構成された本体部分と、（２）２つの隔壁のうちの少なくとも１つにおいて取付け溝の一方の端部に形成され、２つの隔壁のうちの他方の方へ突出する規制部と、を備える。規制部は、ワイヤが取付け溝から取り外されるのを防止するために、ワイヤの絶縁層に対して剛性を有するように構成される。
【００２６】
図１は、本開示の例示的な実施形態によるコネクタを説明するための斜視図である。図２は、図１のコネクタを説明するための別の斜視図である。図３は、図１のコネクタをさらに説明するための斜視図である。
【００２７】
図１〜図３に示すように、図示の実施形態では、少なくとも１つの導電端子１０および絶縁ハウジング２０を備えるコネクタ１００が提供される。
【００２８】
図４は、図１に示したコネクタの導電端子を説明するための斜視図である。
【００２９】
例示的な実施形態では、各導電端子１０が、単一の導電シート、たとえば銅シートのみから形成される。すなわち、導電端子１０が広げられた場合、導電端子１０は１片の導電シートである。図４に示すように、図示の実施形態では、導電端子１０は、ベース部分１１および２対の第１の締付け部分１２を備える。ベース部分１１は、互いに反対側の位置にある２つの第１の縁部１１１と、第１の縁部１１１に直交している互いに反対側の位置にある２つの第２の縁部１１２とを備える。各対の第１の締付け部分１２は、ベース部分１１が位置する平面に直交してベース部分１１の第１の縁部１１１から上方へ延び、その中に挿入されたワイヤを締め付けて接続する。
【００３０】
図４に示すように、図示の実施形態では、第１の締付け部分１２の中間に、中に挿入されたワイヤを締め付けるためにワイヤ締付け溝１２１が形成される。さらに、第１の締付け部分１２には、ワイヤ締付け溝１２１の上端にワイヤ貫通部分１２２が設けられる。ワイヤが導電端子１０内へ挿入される際、ワイヤ貫通部分１２２は、ワイヤの絶縁層を貫通してワイヤの導体を露出させ、導体がワイヤ締付け溝１２１内へさらに挿入されると、導体は導電端子１０に電気的に接続される。したがって、ワイヤは導電端子１０に電気的に接続される。例示的な実施形態では、１対の第１の締付け部分１２の両側のうちの少なくとも一方には、導電端子１０が絶縁ハウジング２０から係合解除されるのを防止するために外方に延びる止め部１２３が設けられる。図４に示すように、１対の第１の締付け部分１２の両側には、それぞれ止め部１２３が設けられている。
【００３１】
図５は、図１に示したコネクタの絶縁ハウジングを説明するための斜視図である。図６は、図５の絶縁ハウジングの上面図である。図７は、図５の絶縁ハウジングの正面図、図８は、図５の絶縁ハウジングの背面図である。
【００３２】
図５〜図８に示すように、絶縁ハウジング２０は、少なくとも２つの隔壁２２を含む本体部分２１を備える。２つの隔壁２２間に取付け溝２３が形成され、導電端子１０を受け取るように構成される。２つの隔壁２２のうちの少なくとも１つにおいて取付け溝２３の一方の端部に規制部２６が形成され、２つの隔壁のうちの他方の方へ突出する。規制部は、ワイヤの絶縁層に対して剛性を有するように構成され、その結果、ワイヤは規制部２６を通過して取付け溝２３に入る際に径方向に弾性変形し、ワイヤがワイヤの挿入とは逆方向に引っ張られたとき、取付け溝２３内へ挿入されたワイヤが取付け溝２３から取り外されるのを防止する。
【００３３】
図５に示すように、それぞれ隔壁２２の両側で取付け溝２３の一方の端部に２つの規制部２６が形成され、それによってワイヤがワイヤの挿入とは逆方向に引っ張られたとき、取付け溝２３内へ挿入されたワイヤが取付け溝２３から取り外されるのを確実に防止する。
【００３４】
図５〜図８に示すように、説明的な実施形態では、取付け溝２３には、規制部２６が形成されたその一方の端部に第１の挿入スロット２４が形成される。規制部２６は、第１の挿入スロット２４の２つの対向する側壁に形成される。導電端子１０が取付け溝２３に取り付けられるとき、第１の挿入スロット２４の底部が、導電端子１０の第１の締付け部分１２の底部と実質上同一平面上になる。
【００３５】
図５〜図８に示すように、説明的な実施形態では、規制部２６は、第１の挿入スロット２４を通ってワイヤの軸方向に延び、したがって規制部２６は、ワイヤの絶縁層に対して剛性を示す。好ましくは、規制部２６は、規制部２６がワイヤの絶縁層に対して剛性を示すのに十分に広い横断面を有する。この配置によって、ワイヤが取付け溝２３または第１の挿入スロット２４内へ挿入されたとき、規制部２６は変形せず、その代わりに、ワイヤの絶縁層が変形して、取付け溝２３または第１の挿入スロット２４に完全に入り、それによってワイヤに対する規制部２６の制限作用を強化する。したがって、ワイヤは、その挿入方向とは逆方向に引っ張られたときに絶縁ハウジングから容易に取り外されることが防止される。
【００３６】
図５および図７に示すように、説明的な実施形態では、規制部２６は、傾斜した案内面２６１と、取付け溝２３の側壁が位置する平面に実質上直交している規制面２６２とを含む。ワイヤが取付け溝２３または第１の挿入スロット２４内へ挿入されるとき、案内面２６１は、ワイヤを案内して取付け溝２３の側壁に沿って摺動させる。挿入力が増大するにつれて、ワイヤの絶縁層が変形して、ワイヤは第１の挿入スロット２４に入り、その後、ワイヤの絶縁層は変形から回復し、この時点で、規制面２６２はワイヤを阻止し、ワイヤが第１の挿入スロット２４から離れるのを防止する。
【００３７】
図５および図６に示すように、例示的な実施形態では、取付け溝２３の側壁には、それぞれ第１の締付け部分１２を収容するように構成された収容溝２５が設けられる。第１の締付け部分１２が収容溝２５内に収容されることによって、導電端子１０は絶縁ハウジング２０内に保持される。さらに、例示的な実施形態では、止め部１２３が設けられた第１の締付け部分１２を収容する絶縁ハウジング２０の収容溝２５の端部に受取り溝が形成され、導電端子１０の止め部１２３を受け取って導電端子１０を絶縁ハウジング２０内にしっかりと保持するように構成される。
【００３８】
図４に示すように、例示的な実施形態では、導電端子１０は、１対の第２の締付け部分１３をさらに含む。１対の第２の締付け部分１３は、第１の締付け部分１２の延出方向とは逆方向にベース部分１１の第２の縁部１１２から曲がり、次いで第２の縁部１１２に対して平行な方向に互いの方へ斜めに延びる。図５および図７に示すように、例示的な実施形態では、絶縁ハウジング２０は、第１の挿入スロット２４が位置する端部とは反対側の取付け溝２３の他方の端部に配置された第２の挿入スロット２７をさらに含む。導電端子１０が絶縁ハウジング２０内に取り付けられたとき、第２の締付け部分１３間の空間は、第２の挿入スロット２７に連通している。導電端子１０に嵌合するように構成された相手側導電端子を、第２の挿入スロット２７内へ挿入して、第２の締付け部分１３によって締め付けることができ、したがって導電端子１０は、相手側導電端子に電気的に接続される。
【００３９】
さらに、図４に示すように、例示的な実施形態では、１対の第２の締付け部分１３の端部には、相手側導電端子をしっかりと締め付けるために互いの方へ突出する突起１３１が設けられる。
【００４０】
図５〜図８に示すように、例示的な実施形態では、絶縁ハウジング２０の本体部分２１には、ワイヤの挿入方向にロック部分２８が設けられ、ロック部分２８は、導電端子１０に係合した相手側導電端子をロックするように構成される。
【００４１】
このようにして、絶縁ハウジング２０によって、ワイヤを絶縁ハウジング内にしっかりと保持することができ、ワイヤは、その挿入方向とは逆方向に引っ張られたとき、絶縁ハウジングから取り外されることが防止される。
【００４２】
上記の実施形態は例示であることが意図され、当業者であれば上記の実施形態に修正を加えることができ、構造上および原理上矛盾することなく、様々な実施形態に記載する構造を自由に組み合わせることができることを、当業者には理解されたい。
【００４３】
本開示について、添付の図面を参照して説明したが、図面に開示する実施形態は、本開示の好ましい実施形態を例示することが意図され、本開示に対する限定と解釈されるべきではない。
【００４４】
本開示の概略的な概念のいくつかの実施形態について図示および説明したが、本開示の原理および趣旨から逸脱することなく、これらの実施形態に修正を加えることができ、本開示の範囲は、特許請求の範囲およびその均等物に定義されることが、当業者には理解されよう。
【００４５】
「備える」または「含む」という用語は、他の要素またはステップを排除しないものとして理解されるべきであり、「ａ」または「ａｎ」という用語は、複数の要素またはステップを排除しないものとして理解されるべきであることに留意されたい。さらに、特許請求の範囲におけるあらゆる参照番号は、本開示に対する限定と理解されるべきではない。
【図１】
2019149372.tif 000003
【図２】
2019149372.tif 000004
【図３】
2019149372.tif 000005
【図４】
2019149372.tif 000006
【図５】
2019149372.tif 000007
【図６】
2019149372.tif 000008
【図７】
2019149372.tif 000009
【図８】
2019149372.tif 000010
【外国語明細書】
2019149372000001.pdf